(57)【要約】【課題】携帯機器の収容、取り出しが上着の表側（外側）から簡便かつスムーズに行えるとともに、前屈みになっても携帯機器が裏側ポケット部から抜け出ないように工夫した上着のポケット構造を提供する。【解決手段】右側前身頃布１２Ｒの表側に、上方を開放部として表ポケット布１３を逢着することによって右側表ポケット部２１Ｒを形成し、この右側表ポケット部２１Ｒを形成する右側前身頃布１２Ｒの部分に開口部１２ａを設けるとともに、この開口部１２ａを幅方向に２等分割した左側を覆うように、伸縮性を有する縦帯布１６を右側前身頃布１２Ｒに逢着することによって携帯電話機Ｔを出し入れする出し入れ開口部１７ａを形成し、右側前身頃布１２Ｒの裏側に、出し入れ開口部１７ａを囲うように裏ポケット袋布１８を逢着することによって裏ポケット部２２を形成する。【選択図】図２
2009001923.tif 000002
【特許請求の範囲】
【請求項１】
前身頃布の表側に、上方を開放部として表ポケット布を逢着することによって表ポケット部を形成し、
この表ポケット部を形成する前記前身頃布の部分に開口部を設けるとともに、この開口部の、幅方向の両端部の少なくとも一方を高さ方向へ覆うように、伸縮性を有する縦帯布を前記前身頃布に逢着することによって携帯機器を出し入れする出し入れ開口部を形成し、
前記前身頃布の裏側に、前記出し入れ開口部を囲うように裏ポケット袋布を逢着することによって裏ポケット部を形成した、
ことを特徴とする上着のポケット構造。
【請求項２】
請求項１に記載の上着のポケット構造において、
前記出し入れ開口部の幅は、前記開口部の幅を２等分割した幅である、
ことを特徴とする上着のポケット構造。
【請求項３】
請求項１または請求項２に記載の上着のポケット構造において、
前記出し入れ開口部よりも下側の、前記裏ポケット袋布の高さ方向の長さを調節する長さ調節機構を設けた、
ことを特徴とする上着のポケット構造。
【請求項４】
請求項３に記載の上着のポケット構造において、
前記長さ調節機構は、面ファスナによって構成されている、
ことを特徴とする上着のポケット構造。
【請求項５】
前身頃布の表側に、上方を開放部として表ポケット布を逢着することによって表ポケット部を形成し、
この表ポケット部を形成する前記前身頃布の部分に、携帯機器に対応した開口部を設け、この開口部を高さ方向に２分割した下側に位置する下側分割開口部分の上端が上端となり、下端と前記前身頃布との間から前記携帯機器が落ちないように、横帯布を前記前身頃布に逢着するとともに、この横帯布よりも上側に位置する前記開口部の上側分割開口部分の、幅方向の両端部の少なくとも一方を高さ方向へ覆うように、伸縮性を有する縦帯布を前記前身頃布および前記横帯布に逢着することによって前記携帯機器を出し入れする出し入れ開口部を形成し、
前記前身頃布の裏側に、前記開口部を囲うように裏ポケット布を逢着することによって前記携帯機器を収容する裏ポケット部を形成した、
ことを特徴とする上着のポケット構造。
【請求項６】
請求項５に記載の上着のポケット構造において、
前記出し入れ開口部の幅は、前記上側分割開口部分の幅を２等分割した幅である、
ことを特徴とする上着のポケット構造。
【請求項７】
請求項５または請求項６に記載の上着のポケット構造において、
前記上側分割開口部分と前記下側分割開口部分とは、前記開口部を高さ方向に２等分割して設けられている、
ことを特徴とする上着のポケット構造。
【発明の詳細な説明】
【技術分野】
【０００１】
この発明は、例えば、ジャケット、作業着、ジャンパーなどの上着において、携帯電話機などの携帯機器を落とさないように収容することのできる上着のポケット構造に関するものである。
【背景技術】
【０００２】
携帯電話機などの携帯機器は、上着のポケットに収容し、携帯していて落とすと、内部の部品が破損したり、半田付け部分が剥がれて接触不良になることにより、使用できなくなる場合が往々にしてある。
そこで、携帯機器を上着のポケットに収容して携帯する場合、携帯機器が上着のポケットから落ちないように、前身頃布の裏側に裏ポケット部を形成し、この裏ポケット部に携帯機器を収容することが提案されている（例えば、特許文献１参照。）。
【０００３】
【特許文献１】特開２００４−２１１２２５号公報
【発明の開示】
【発明が解決しようとする課題】
【０００４】
しかしながら、前身頃布の裏側に裏ポケット部を形成した場合、例えば、前側のスライドファスナーが携帯機器を落とさないように閉められていると、上着の外側から携帯機器を取り出すことができないので、スライドファスナーを開けた後、裏ポケット部から携帯機器を取り出さなければならないため、携帯機器の取り出しが煩わしかった。
【０００５】
この発明は、上記したような不都合を解消するためになされたもので、携帯機器の収容、取り出しが上着の表側（外側）から簡便かつスムーズに行えるとともに、前屈みになっても携帯機器が裏側ポケット部から抜け出ないように工夫した上着のポケット構造を提供するものである。
【課題を解決するための手段】
【０００６】
この発明は、以下のような発明である。
（１）前身頃布の表側に、上方を開放部として表ポケット布を逢着することによって表ポケット部を形成し、この表ポケット部を形成する前記前身頃布の部分に開口部を設けるとともに、この開口部の、幅方向の両端部の少なくとも一方を高さ方向へ覆うように、伸縮性を有する縦帯布を前記前身頃布に逢着することによって携帯機器を出し入れする出し入れ開口部を形成し、前記前身頃布の裏側に、前記出し入れ開口部を囲うように裏ポケット袋布を逢着することによって裏ポケット部を形成したことを特徴とする上着のポケット構造。
（２）（１）に記載の上着のポケット構造において、前記出し入れ開口部の幅は、前記開口部の幅を２等分割した幅であることを特徴とする。
（３）（１）または（２）に記載の上着のポケット構造において、前記出し入れ開口部よりも下側の、前記裏ポケット袋布の縦方向の長さを調節する長さ調節機構を設けたことを特徴とする。
（４）（３）に記載の上着のポケット構造において、前記長さ調節機構は、面ファスナによって構成されていることを特徴とする。
（５）前身頃布の表側に、上方を開放部として表ポケット布を逢着することによって表ポケット部を形成し、この表ポケット部を形成する前記前身頃布の部分に、携帯機器に対応した開口部を設け、この開口部を高さ方向に２分割した下側に位置する下側分割開口部分の上端が上端となり、下端と前記前身頃布との間から前記携帯機器が落ちないように、横帯布を前記前身頃布に逢着するとともに、この横帯布よりも上側に位置する前記開口部の上側分割開口部分の、幅方向の両端部の少なくとも一方を高さ方向へ覆うように、伸縮性を有する縦帯布を前記前身頃布および前記横帯布に逢着することによって前記携帯機器を出し入れする出し入れ開口部を形成し、前記前身頃布の裏側に、前記開口部を囲うように裏ポケット布を逢着することによって前記携帯機器を収容する裏ポケット部を形成したことを特徴とする上着のポケット構造。
（６）（５）に記載の上着のポケット構造において、前記出し入れ開口部の幅は、前記上側分割開口部分の幅を２等分割した幅であることを特徴とする。
（７）（５）または（６）に記載の上着のポケット構造において、前記上側分割開口部分と前記下側分割開口部分とは、前記開口部を高さ方向に２等分割して設けられていることを特徴とする。
【発明の効果】
【０００７】
この発明によれば、表ポケット部を形成する前身頃布の部分に設けた開口部の、幅方向（左右方向）の両端部の少なくとも一方を高さ方向（縦方向、上下方向）へ覆うように、伸縮性を有する縦帯布を前身頃布に逢着することによって携帯機器を出し入れする出し入れ開口部を形成したので、縦帯布を伸ばすことによって出し入れ開口部を拡げることができるため、携帯機器の収容、取り出しが上着の表側（外側）から表ポケット部を介して簡便かつスムーズに行える。
また、縦帯布が裏ポケット部内に収容した携帯機器の出し入れ開口部から露出しない部分を覆うので、前屈みになっても、携帯機器が縦帯布に引っ掛かるため、携帯機器が裏ポケット部から落ちる（抜け出る）のを阻止することができる。
また、携帯機器に、例えば、ストラップが付いていても、このストラップを表ポケット部内に収容できるので、ストラップが露出しなくなることにより、例えば、抱えた商品にストラップが当たって商品に傷を付けるのを防止することができる。
また、携帯機器を表ポケット部と異なる裏ポケット部に収容できるので、表ポケット部の収容部分が広くなる。
そして、出し入れ開口部の幅を、開口部の幅を２等分割した幅にしたので、裏ポケット部内に収容した携帯機器の出し入れ開口部から露出しない部分を縦帯布で確実に覆うことができるため、前屈みになっても携帯機器が縦帯布に引っ掛かることにより、携帯機器が裏ポケット部から落ちる（抜け出る）のを確実に阻止することができる。
さらに、出し入れ開口部よりも下側の、裏ポケット袋布の高さ方向（縦方向、上下方向）の長さを調節する長さ調節機構を設けたので、収容する携帯機器の高さ（長さ）に応じて裏ポケット部の高さ方向の長さを調節し、高さの異なる携帯機器を裏ポケット部内に、裏ポケット部内で不必要に上下動しないように収容させることができる。
そして、長さ調節機構を、面ファスナによって構成したので、安価な構成で所期の目的を達成することができる。
また、この発明によれば、表ポケット部を形成する前身頃布の部分に設けた携帯機器に対応した開口部を、上下に２分割した下側に位置する下側分割開口部分の上端が上端となり、下端と前身頃布との間から携帯機器が落ちないように、横帯布を前身頃布に逢着するとともに、この横帯布よりも上側に位置する開口部の上側分割開口部分の、幅方向（左右方向）の両端部の少なくとも一方を高さ方向（縦方向、上下方向）へ覆うように、伸縮性を有する縦帯布を前身頃布および横帯布に逢着することによって携帯機器を出し入れする出し入れ開口部を形成したので、縦帯布を伸ばすことによって出し入れ開口部を拡げることができるため、携帯機器の収容、取り出しが上着の表側（外側）から表ポケット部を介して簡便かつスムーズに行える。
また、縦帯布が裏ポケット部内に収容した携帯機器の出し入れ開口部から露出しない部分を覆うので、前屈みになっても、携帯機器が縦帯布に引っ掛かるため、携帯機器が裏ポケット部から落ちる（抜け出る）のを阻止することができる。
また、携帯機器に、例えば、ストラップが付いていても、このストラップを表ポケット部内に収容できるので、ストラップが露出しなくなることにより、例えば、抱えた商品にストラップが当たって商品に傷を付けるのを防止することができる。
また、携帯機器を表ポケット部と異なる裏ポケット部に収容できるので、表ポケット部の収容部分が広くなる。
そして、出し入れ開口部の幅を、上側分割開口部分の幅を２等分割した幅にしたので、裏ポケット部内に収容した携帯機器の出し入れ開口部から露出しない部分を縦帯布で確実に覆うことができるため、前屈みになっても携帯機器が縦帯布に引っ掛かることにより、携帯機器が裏ポケット部から落ちる（抜け出る）のを確実に阻止することができる。
さらに、開口部を高さ方向（縦方向、上下方向）に２等分割して上側分割開口部分と下側分割開口部分とを設けたので、開口部の下側を覆う横帯布と、上側分割開口部分の一部を覆う縦布帯とで裏ポケット部内に収容した携帯機器の出し入れ開口部から露出しない部分を確実に覆うことができるため、前屈みになっても携帯機器が横帯布および縦帯布に引っ掛かることにより、携帯機器が裏ポケット部から落ちる（抜け出る）のを確実に阻止することができる。
【発明を実施するための最良の形態】
【０００８】
以下、この発明の実施例を図に基づいて説明する。
【０００９】
図１はこの発明の一実施例に係る上着の正面図、図２は図１に示した表ポケット部部分の表ポケット布および蓋布を取り除いた拡大部分正面図、図３は図２のＡ−Ａ線による拡大部分側断面図、図４は図３のＢ−Ｂ線による平断面図、図５は使用説明図、図６は長さ調節機構の説明図である。
なお、図６は、図３に対応させた部分拡大側断面図としてある。
【００１０】
図１において、上着１１を構成する左、右側前身頃布１２Ｌ，１２Ｒの表側に、上方を開放部として表ポケット布１３を逢着することによって左、右側表ポケット部２１Ｌ，２１Ｒが形成されている。
そして、左、右側表ポケット部２１Ｌ，２１Ｒよりも上側の左、右側前身頃布１２Ｌ，１２Ｒの表側に、左、右側表ポケット部２１Ｌ，２１Ｒの開放部を覆う左、右側蓋布１４Ｌ，１４Ｒが逢着されている。
さらに、右側表ポケット部２１Ｒを形成する右側前身頃布１２Ｒの部分に、図２〜図４に示すように、開口部１２ａを設けるとともに、この開口部１２ａを幅方向（左右方向）に２等分割した一方、例えば、左側を覆うように、ニット素材のような伸縮性を有する縦帯布１６を逢着することにより、携帯機器としての携帯電話機Ｔを出し入れする出し入れ開口部１７ａが形成されている。
そして、右側前身頃布１２Ｒの裏側に、図３および図４に示すように、出し入れ開口部１７ａを囲うように裏ポケット袋布１８を逢着することによって裏ポケット部２２が形成されている。
さらに、出し入れ開口部１７ａよりも下側の、裏ポケット袋布１８の高さ方向（縦方向、上下方向）の長さを調節する長さ調節機構として面ファスナ２０（図３参照）が設けられている。
上記した面ファスナ２０は、図３に示すように、例えば、雌側面ファスナ部２０ａが、出し入れ開口部１７ａよりも下側に位置する裏ポケット袋布１８の高さ方向（縦方向、上下方向）の中程の右側前身頃布１２Ｒ側に逢着されるとともに、雄側面ファスナ部２０ｂが、出し入れ開口部１７ａよりも下側に位置する裏ポケット袋布１８の下端の右側前身頃布１２Ｒ側に逢着されている。
【００１１】
次に、携帯電話機Ｔを裏ポケット部２２内に収容したり、携帯電話機Ｔを裏ポケット部２２から取り出す操作について説明する。
まず、携帯電話機Ｔを裏ポケット部２２内に収容する場合は、右側蓋布１４Ｒを持ち上げて右側表ポケット部２１Ｒの開放部を開放させた後、右側表ポケット部２１Ｒを介して出し入れ開口部１７ａに指先を差し込んで縦帯布１６を引っ張ることにより、出し入れ開口部１７ａを拡開させる。
このようにして出し入れ開口部１７ａを拡開させることにより、開口部１２ａの幅の半分であった出し入れ開口部１７ａの幅が開口部１２ａと同じ位の幅になるので、図２〜図４に示すように、携帯電話機Ｔを、右側表ポケット部２１Ｒを介して出し入れ開口部１７ａから裏ポケット部２２内へ収容させることができる。
そして、携帯電話機Ｔを出し入れ開口部１７ａから裏ポケット部２２内へ収容させた後に縦帯布１６を離すと、縦帯布１６は自身の伸縮性によって縮むので、図２〜図４に示すように、縦帯布１６が開口部１２ａの幅の半分を覆うとともに、裏ポケット部２２に収容した携帯機器Ｔの出し入れ開口部１７ａから露出しない部分を縦帯布１６で覆うことができる。
【００１２】
このようにして携帯電話機Ｔを裏ポケット部２２内へ収容させ、縦帯布１６が裏ポケット部２２に収容した携帯機器Ｔの出し入れ開口部１７ａから露出しない部分を覆っている状態で、前屈みになっても、図５示すように、携帯機器Ｔが縦帯布１６に引っ掛かっているので、携帯機器Ｔが裏ポケット部２２内から落ちる（抜け出る）のを阻止することができる。
次に、携帯電話機Ｔを裏ポケット部２２から取り出す場合は、携帯電話機Ｔを裏ポケット部２２内に収容する場合と反対の操作を行うことにより、携帯電話機Ｔを裏ポケット部２２から取り出すことができる。
【００１３】
次に、長さ調節機構の操作について説明する。
まず、携帯電話機Ｔの長さが長い場合は、図３に示すように、面ファスナ２０の雄側面ファスナ部２０ｂを雌側面ファスナ部２０ａから離した状態とすることにより、高さ（長さ）の高い（長い）携帯電話機Ｔを裏ポケット部２２内に収容させることができる。
次に、携帯電話機Ｔの高さが短い場合は、図６に示すように、面ファスナ２０の雄側面ファスナ部２０ｂを雌側面ファスナ部２０ａに係合させる（張り付ける）ことにより、高さの短い携帯電話機Ｔを裏ポケット部２２内に、裏ポケット部２２内で不必要に上下動しないように収容させることができる。
【００１４】
上述したように、この発明の一実施例によれば、表ポケット部２２を形成する右側前身頃布１２Ｒの部分に設けた開口部１２ａの、幅方向（左右方向）の両端部の少なくとも一方を高さ方向（縦方向、上下方向）へ覆うように、すなわち、右側表ポケット部２１Ｒを形成する右側前身頃布１２Ｒの部分に設けた開口部１２ａを幅方向（左右方向）に２等分割した一方を覆うように、伸縮性を有する縦帯布１６を右側前身頃布１２Ｒに逢着することによって携帯電話機Ｔの出し入れ開口部１７ａを形成したので、縦帯布１６を伸ばすことによって出し入れ開口部１７ａを拡げることができるため、携帯電話機Ｔの収容、取り出しが上着１１の表側（外側）から右側表ポケット部２１Ｒを介して簡便かつスムーズに行える。
また、縦帯布１６が裏ポケット部２２内に収容した携帯電話機Ｔの出し入れ開口部１７ａから露出しない部分を覆うので、前屈みになっても、携帯電話機Ｔが縦帯布１６に引っ掛かるため、携帯電話機Ｔが裏ポケット部２２から落ちる（抜け出る）のを阻止することができる。
また、携帯電話機Ｔにストラップｓ（図２参照）が付いていても、このストラップｓを右側表ポケット部２１Ｒ内に収容できるので、ストラップｓが露出しなくなることにより、例えば、抱えた商品にストラップｓが当たって商品に傷を付けるのを防止することができる。
また、携帯電話機Ｔを右側表ポケット部２１Ｒと異なる裏ポケット部２２に収容できるので、右側表ポケット部２１Ｒの収容部分が広くなる。
そして、出し入れ開口部１７ａの幅を、開口部１２ａの幅を２等分割した幅にしたので、裏ポケット部２２内に収容した携帯電話機Ｔの出し入れ開口部１７ａから露出しない部分を縦帯布１６で確実に覆うことができるため、前屈みになっても携帯電話機Ｔが縦帯布１６に引っ掛かることにより、携帯電話機Ｔが裏ポケット部２２から落ちる（抜け出る）のを確実に阻止することができる。
さらに、出し入れ開口部１７ａよりも下側の、裏ポケット袋布１８の高さ方向（縦方向、上下方向）の長さを調節する長さ調節機構を設けたので、収容する携帯電話機Ｔの高さに応じて裏ポケット部２２の高さ方向の長さを調節し、高さの異なる携帯電話機Ｔを裏ポケット部２２内に、裏ポケット部２２内で不必要に上下動しないように収容させることができる。
そして、長さ調節機構を、面ファスナ２０によって構成したので、安価な構成で所期の目的を達成することができる。
【００１５】
図７はこの発明の他の実施例に係る上着の表ポケット布および蓋布を取り除いた部分正面図、図８は図７のＣ−Ｃ線による部分拡大側断面図、図９は図８のＤ−Ｄ線による平断面図であり、図１〜図６と同一または相当部分に同一符号を付してある。
【００１６】
図７において、上着１１を構成する右側前身頃布１２Ｒの表側に、上方を開放部として表ポケット布１３を逢着することによって右側表ポケット部２１Ｒが形成されている。
そして、右側表ポケット部２１Ｒよりも上側の右側前身頃布１２Ｒの表側に、右側表ポケット部２１Ｒの開放部を覆う右側蓋布１４Ｒ（図８参照）が逢着されている。
さらに、右側表ポケット部２１Ｒを形成する右側前身頃布１２Ｒの部分に、携帯電話機Ｔに対応した開口部１２ｂを設けるとともに、この開口部１２ｂを高さ方向（縦方向、上下方向）に２等分割した下側に位置する下側分割開口部分１２ｂｄの上端が上端となり、下端と右側前身頃布１２Ｒとの間から携帯電話機Ｔが落ちないように、横帯布１５が右側前身頃布１２Ｒに逢着されている。
そして、横帯布１５よりも上側に位置する開口部１２ｂの上側分割開口部分１２ｕの、幅方向（左右方向）の両端部の少なくとも一方を高さ方向へ覆うように、すなわち、上側分割開口部分１２ｕを幅方向（左右方向）に２等分割した一方、例えば、左側を覆うように、縦帯布１６を右側前身頃布１２Ｒおよび横帯布１５に逢着することにより、携帯電話機Ｔを出し入れする出し入れ開口部１７ｂが形成されている。
さらに、右側前身頃布１２Ｒの裏側に、開口部１７ｂを囲うように裏ポケット布１９を逢着することによって裏ポケット部２３が形成されている。
【００１７】
この実施例において、携帯電話機Ｔを裏ポケット部２３内に収容したり、携帯電話機Ｔを裏ポケット部２３から取り出す操作は、図１〜図６に示した実施例と同様になるので、その説明を省略する。
そして、この実施例においても、図１〜図６に示した実施例と同様な効果を得ることができる。
【００１８】
図１０はこの発明のさらに他の実施例に係る上着の表ポケット布および蓋布を取り除いた部分正面図であり、図１〜図９と同一または相当部分に同一符号を付してある。
【００１９】
図１０において、上着１１を構成する右側前身頃布１２Ｒの表側に、上方を開放部として表ポケット布１３を逢着することによって右側表ポケット部２１Ｒが形成されている。
そして、右側表ポケット部２１Ｒよりも上側の右側前身頃布１２Ｒの表側に、右側表ポケット部２１Ｒの開放部を覆う右側蓋布１４Ｒが逢着されている。
さらに、右側表ポケット部２１Ｒを形成する右側前身頃布１２Ｒの部分に、開口部１２ａを設けるとともに、この開口部１２ａを幅方向（左右方向）の両端部を高さ方向（縦方向、上下方向）へ覆うように、ニット素材のような伸縮性を有する左、右側縦帯布１６Ｌ，１６Ｒを逢着することにより、携帯機器としての携帯電話機Ｔを出し入れする出し入れ開口部１７ｃが形成されている。
この出し入れ開口部１７ｃの幅は、開口部１２ａの幅を２等分割した幅とされている。
そして、右側前身頃布１２Ｒの裏側に、図３および図４に示すように、出し入れ開口部１７ｃを囲うように裏ポケット袋布１８を逢着することによって裏ポケット部２２が形成されている。
【００２０】
この実施例において、携帯電話機Ｔを裏ポケット部２２内に収容したり、携帯電話機Ｔを裏ポケット部２２から取り出す操作は、図１〜図６に示した実施例と同様になるので、その説明を省略する。
そして、この実施例においても、図１〜図６に示した実施例と同様な効果を得ることができる。
【００２１】
上記した実施例では、裏ポケット部２２，２３を右側前身頃布１２Ｒのみの形成した例を示したが、裏ポケット部を左側前身頃布１２Ｌおよび右側前身頃布１２Ｒに、または、左側前身頃布１２Ｌに形成してもよい。
また、開口部１２ａまたは上側分割開口部１２ｂｕの幅を２等分割した幅となるように縦帯布１６，１６Ｌ，１６Ｒを逢着して出し入れ開口部１７ａ，１７ｂ，１７ｃを形成した例を示したが、出し入れ開口部１７ａ，１７ｂ，１７ｃの幅は、開口部１２ａまたは上側分割開口部１２ｂｕの幅を２等分割した幅でなく、２分割した幅でもよい。
また、長さ調節機構を面ファスナ２０とした例を示したが、長さを無段階に調整できるように、例えば、図３に示す開口部１７ａよりも下側に位置する裏ポケット袋布１８の上下方向（長さ）の下端を除いた右側前身頃布１２Ｒ側または反対側に雌側面ファスナ部２０ａを逢着するとともに、雄側面ファスナ部２０ｂを、出し入れ開口部１７ａよりも下側に位置する裏ポケット袋布１８の下端の右側前身頃布１２Ｒ側または反対側に逢着したり、同様に機能する、例えば、ホックと前鐶とで長さ調整機構を構成してもよい。
また、開口部１２ｂを上下に２等分割して上側分割開口部分１２ｂｕと下側分割開口部分１２ｂｄとし、下側分割開口部分１２ｂｄの上端が上端となるように横帯布１５を逢着した例を示したが、開口部１２ｂを上下に２分割し、下側分割開口部分の上端が上端となるように横帯布１５を逢着してもよい。
また、携帯機器として携帯電話機Ｔを示したが、携帯オーディオ機器を収容する裏ポケット部とすることもできる。
【図面の簡単な説明】
【００２２】
【図１】この発明の一実施例に係る上着の正面図である。
【図２】図１に示した表ポケット部部分の表ポケット布および蓋布を取り除いた拡大部分正面図である。
【図３】図２のＡ−Ａ線による拡大部分側断面図である。
【図４】図３のＢ−Ｂ線による平断面図である。
【図５】使用説明図である。
【図６】長さ調節機構の説明図である。
【図７】この発明の他の実施例に係る上着の表ポケット布および蓋布を取り除いた部分正面図である。
【図８】図７のＣ−Ｃ線による拡大部分側断面図である。
【図９】図８のＤ−Ｄ線による平断面図である。
【図１０】この発明のさらに他の実施例に係る上着の表ポケット布および蓋布を取り除いた部分正面図である。
【符号の説明】
【００２３】
１１      上着
１２Ｌ    左側前身頃布
１２Ｒ    右側前身頃布
１２ａ    開口部
１２ｂ    開口部
１２ｂｕ  上側分割開口部分
１２ｂｄ  下側分割開口部分
１３      表ポケット布
１４Ｌ    左側蓋布
１４Ｒ    右側蓋布
１５      横帯布
１６      縦帯布
１６Ｌ    左側縦帯布
１６Ｒ    右側縦帯布
１７ａ    出し入れ開口部
１７ｂ    出し入れ開口部
１７ｃ    出し入れ開口部
１８      裏ポケット袋布
１９      裏ポケット布
２０      面ファスナ（長さ調節機構）
２０ａ    雌側面ファスナ部
２０ｂ    雄側面ファスナ部
２１Ｌ    左側表ポケット部
２１Ｒ    右側表ポケット部
２２      裏ポケット部
２３      裏ポケット部
Ｔ        携帯電話機（携帯機器）
ｓ        ストラップ
【図１】
2009001923.tif 000003
【図２】
2009001923.tif 000004
【図３】
2009001923.tif 000005
【図４】
2009001923.tif 000006
【図５】
2009001923.tif 000007
【図６】
2009001923.tif 000008
【図７】
2009001923.tif 000009
【図８】
2009001923.tif 000010
【図９】
2009001923.tif 000011
【図１０】
2009001923.tif 000012